(57)【特許請求の範囲】
【請求項１】
網目形成糸により形成された一辺が２．０ｍｍ以上６．０ｍｍ以下の網目内に、該網目形成糸とは異なる方向性を有する補強糸が配置されたネットを備えたかつらベースであって、
前記補強糸は前記網目形成糸と当該ベース全体に渡って一体に編成されてなる、かつらベース。
【請求項２】
請求項１に記載のかつらベースにおける前記網目形成糸と前記補強糸とに毛髪を取り付けてなるかつら。
【請求項３】
前記網目形成糸に取り付けられた前記毛髪と前記補強糸に取り付けられた前記毛髪とが、根元付近で交差している、請求項２に記載のかつら。
【請求項４】
前記網目形成糸に取り付けられた前記毛髪と前記補強糸に取り付けられた前記毛髪は、上記網目形成糸又は上記補強糸に対して略直交方向に延びている、請求項２又は３に記載のかつら。
【請求項５】
網目形成糸により形成された網目内に、該網目形成糸とは異なる方向性を有する補強糸が配置されたネットを備えたかつらベースを準備する工程と、上記網目形成糸と上記補強糸とのそれぞれに毛髪を取り付ける工程とを備えた、かつらの製造方法。
【発明の詳細な説明】
【技術分野】
【０００１】
本発明は、ネットを用いたかつらベースと、このかつらベースに多数の毛髪が取り付けられたかつらと、このかつらを製造するための製造方法に関する。
【背景技術】
【０００２】
従来、かつらは天然素材又は合成樹脂製の人工皮膚やネットで成形されたかつらベースに天然毛髪や人工毛髪を植設された構成を備える。かつらベースとして人工皮膚を用いたかつらは、ネットを用いたものに比べて通気性が劣ることがある。快適さを追求するかつらにおいては通気性の確保は重要な要素であるため、ネットを用いたかつらベースも多用されている。
【０００３】
人間の頭髪は、通常毛包から頭皮を通って略垂直に生えているが、頭髪の先端部は頭部の湾曲形状に応じた流れを有している。例えば、前頭部では頭髪の流れは前額部方向へ、後頭部側では後方へ、また側頭部側では各々の側方へというように、頭部の湾曲状態に応じた方向に毛髪の流れを有する。
【０００４】
この毛髪の流れに加え、人間の頭髪は多数の毛髪の立ち上がりによるボリューム感を有している。
図１７（Ａ）は、人間の頭髪、すなわち自毛５１が生えている頭皮付近の断面模式図である。自毛５１は頭皮５２の内部にある毛包５３によって固定されており、頭皮５２が弾力性を有すると共に表面付近では自毛５１との間に凹部５４が形成されている。これにより頭皮５２が自毛５１の左右の動きに弾力的に対応することで、自毛５１の弾力的可動範囲５５が確保されている。そのため自毛５１は毛包５３を含む自毛固定層５６で確実に固定されて立ち上がることができ、弾力的可動範囲５５があることで弾力的に変位できるようになっている。
【０００５】
その結果、ボリューム感のあるヘアスタイルを形成することができ、またブラッシング等により自毛５１が一方向にまとまったり、束になって倒伏したりすることがない。しかも自毛５１が弾力的に変位できるため、外部からの力、特に、上方向からの力が繰り返し加わっても無理なく追従できると共に、外部からの力による変位を復元できる。その結果、自毛５１のボリューム感が失われずに維持することができ、外観が不自然になることがない。
【０００６】
これに対し、図１７（Ｂ）は、ネットを用いたかつらベースに毛髪３０が取り付けられた状態を示す断面模式図である。
特に、ネットを用いたかつらベース６１に毛髪を取り付ける場合には、かつらベース６１を形成するネットのフィラメント２５に毛髪３０を捲回して結着固定する取付方法が広く行われている。
【０００７】
かつらに取り付けた毛髪３０の流れは、かつらベース６１を構成するネットのフィラメント２５に毛髪に所定の指向性を与えて取り付けることで形成できる。例えば図５に示すように、前額部の毛髪には前額部側Ａに向けた流れを形成し、後頭部の毛髪には後頭部側Ｂに向けた流れを形成し、左右の側頭部の毛髪には各々の側方部側Ｃ、Ｄに向けた毛髪の流れを形成できる。
【０００８】
かつらに毛髪の流れを付与する方法としては、例えば図１８（Ａ）に示す通り、毛髪３０の毛先がA方向又はB方向を向くように、かつらベース６１を構成する横糸２５Ｘ及び縦糸２５Ｙの一方又は双方に対し、略直角方向に毛髪３０を結びつける、或いは図１８（Ｂ）に示すように、かつらベース６１を構成する横糸２５Ｘ及び縦糸２５Ｙの一方又は双方に対し、所望の角度をつけて毛髪３０を結びつけることが知られている。各図中、破線は毛髪３０を示し、黒丸は毛髪３０の取り付け個所を示し、毛髪３０の矢印が毛髪３０の向きを示す。
【０００９】
毛髪の取り付けは通常手作業で行なわれており、かつらベース６１を構成するネットのフィラメント２５に毛髪３０を捲回して絡ませてから一定方向に引っ張ることで取り付けられる。その際、毛髪３０は引っ張った方向に流れるので、毛髪３０に所定の指向性を与えることができる。
【００１０】
図１８（Ａ）に示すように、かつらベース６１を構成するネットのフィラメント２５に対し、略直角方向に毛髪を結びつける方法によれば、毛髪の取り付けが容易で作業効率が高く、しかも取り付けた毛髪が同一方向の毛流で規則的に並ぶので、毛髪がまとまりやすくきっちりとしたヘアスタイルを簡単にセットできる利点がある。
一方、図１８（Ｂ）に示すように、かつらベース６１を構成するネットのフィラメント２５に対し、所望の角度をつけて毛髪を結びつける方法では、毛髪同士が根元付近で交差するため、立ち上がってボリューム感が得られる。
【００１１】
ところが、ネットを用いたかつらでは、頭皮５２のように毛髪３０の弾力的可動範囲５５がないため、かつらベース６１に取り付けられた毛髪３０は様々な動きに弾力的に追従することができない、あるいは追従できてもすぐに取り付けた時の毛髪３０の流れる方向に戻ってしまう。そのため、ブラッシングなどによって毛髪３０が束になりやすく、束になった毛髪が自重により倒伏して立ち上がらない結果、ボリューム感が失われて外観が不自然になり易い。しかも毛髪３０が自毛のように弾力的に変位しないので、外部からの力などにより毛髪３０が取り付け個所やその付近で折れ曲がってしまうと、毛髪３０に折れ癖がつき、復元することが困難になる。
【００１２】
毛髪の立ち上がりやボリューム感を維持するためには、かつらベース６１の表面に弾力的可動範囲を設けて、毛髪３０の倒伏を抑制することが必要であるが、かつらベース６１を構成するネットのフィラメントには頭皮５２のように凹部５４が存在しない。そのため各毛髪３０自体に所定の方向性を付与して、毛髪３０の根元付近で毛髪同士を交差させてお互いに支え合わせることで、毛髪３０の倒伏を抑制することや、弾力的可動範囲のような効果を得ることが知られている。
【００１３】
例えば下記特許文献１には、矩形状の網目からなるネットが一面に張られ、網目の各辺に複数の毛髪が取り付けられて作製されたかつらが開示されている。
特許文献１に開示されたかつらによれば、網目を形成する各フィラメントに複数本の毛髪を取り付けることによって、毛髪が異なる方向に向いて毛髪同士が支えあうので、毛髪が立ち上がりやすく、ボリューム感を出すことができる。
特許文献２には、取り付ける毛髪の位置が規則的に制御されたかつらが開示されている。この文献２に開示されたかつらによれば、網目を形成する各フィラメントに対して、毛髪の位置を規則的に制御して取り付けられているので、毛髪にバラツキが生じることによって毛髪が束になることがなく、毛髪が立ち上がりやすく、ボリューム感を出すことができる。
【先行技術文献】
【特許文献】
【００１４】
【特許文献１】特開平１０−７７５１４号公報
【特許文献２】特開２００９−３５８２９号公報
【発明の概要】
【発明が解決しようとする課題】
【００１５】
しかしながら、かつらベースを構成するネットのフィラメントに対して、略直角方向に毛髪を結びつける方法で作製されたかつらでは、取り付けた毛髪が同一の方向に規則的に並びやすいため、毛髪の根元から毛先までがまとまり、束になる傾向があった。そうすると、束状にまとまった毛髪の自重によって、毛髪が立ち上がらずに倒伏してしまい、ボリューム感が失われ易かった。
【００１６】
かつらベースを構成するネットのフィラメントに対して、所望の角度をつけて毛髪を結びつける方法は、取り付け技術が高度であり、取り付ける毛髪のフィラメントに対する方向を制御することが困難であるので、かつら全体で均一に毛髪同士を支えあうように取り付けることが難しかった。さらに取り付ける際に毛髪１本ずつの角度を確認する作業が不可欠となり、作業効率が著しく低下していた。
【００１７】
特許文献１に開示された矩形に設けた網目の各辺に複数本の毛髪を取り付けるかつらでは、ヘアスタイルに応じた必要な毛髪量と毛髪のボリューム感とをバランスよく両立させることが容易でなかった。即ち、毛髪同士が互いに支え合える範囲でネットの網目を適度に大きく形成すれば毛髪が立ち上がり状態で維持できるため、ボリューム感は得られるものの、毛髪量が不足する。ところが、毛髪量を多くするためにネットの網目を小さくして多数の毛髪を取り付けると、毛髪が集まって束になり易く、時間の経過によって毛髪の自重で倒伏が起こり、その結果、ボリューム感が失われる。しかも、毛髪の結び目が所定の領域に集中するので、黒い斑点のように見えてしまうことがあり、外観が不自然になり易かった。
特許文献２に開示されたフィラメントに対して毛髪の方向性を規則的に制御して取り付けるかつらは、取り付ける各毛髪の方向と位置とを確認する作業が不可欠となり、作業効率が低下するという問題があった。
【００１８】
これらの問題点に加えて、ネットを用いたかつらベースにより作製されるかつら全般においては、長期間の使用により、かつらの着脱時に生じる引張荷重やかつらベース自体の脆化によって、かつらベースを構成しているネットのフィラメントが切れることもあり得る。
ネットに切れが生じると、その切断箇所からシワが発生してかつらの形状が歪む原因となる。かつらが歪むと、かつらの変形、フィット感の低下等が生じる。さらに、かつらベースの切断箇所から取り付けた毛髪が脱落すると、所望のヘアスタイルを維持できなくなる。
【００１９】
特に、ネットを用いたかつらベースにより製造されたかつらは通気性が良好であるために、一定期間着けっぱなしによる使用形態に向いている。一定期間着けっぱなしにする手段として、接着剤や両面粘着テープでかつらと装着者の頭部とを固定する他に、かつらと頭部自毛とを糸などを用いて編み込むように緊締する方法が広く行われているが、緊締する方法ではかつらベースが切れやすく、安定した固定力が得られないばかりでなく、かつらの形状に歪みが生じる。
【００２０】
本発明は、上記問題点に鑑みてなされたものであり、毛髪を取り付けることで毛髪のボリューム感と、耐久性と、形状安定性とに優れたかつらが得られる、ネットを用いたかつらベースを提供すると共に、このネットを用いたかつらベースを使用し、毛髪のボリューム感と耐久性と形状安定性とに優れたかつらを提供し、さらに、そのかつらを製造するための製造方法を提供することを目的とする。
【課題を解決するための手段】
【００２１】
本発明のかつらベースは、網目形成糸により形成された網目内に、該網目形成糸とは異なる方向性を有する補強糸が配置されたネットを備えたことを特徴とする。このかつらベースでは、補強糸が網目形成糸と一体に編成されていてもよい。
【００２２】
本発明のかつらは、このかつらベースにおける網目形成糸と補強糸とに毛髪を取り付けてなることを特徴とする。
このかつらでは、網目形成糸に取り付けられた毛髪と補強糸に取り付けられた毛髪とが、根元付近で交差していること、網目形成糸に取り付けられた毛髪と補強糸に取り付けられた毛髪は、網目形成糸又は補強糸に対して略直交方向に延びているようにしてもよい。
【００２３】
本発明のかつらの製造方法は、上述のようなかつらベースを準備する工程と、網目形成糸と補強糸とのそれぞれに毛髪を取り付ける工程とを備えたことを特徴とする。
【発明の効果】
【００２４】
本発明のかつらベースによれば、網目を形成する網目形成糸と、この網目形成糸とは方向性の異なる補強糸とを備えるので、網目形成糸と補強糸とに毛髪を取り付ければ、網目形成糸の方向性及び補強糸の方向性により異なる指向性を持った毛髪を混在させることができ、毛髪同士を根元付近で異なる方向に交差させて互いに支え合わせることが可能である。そのため多数の毛髪が立ち上がった状態で多方向に支え合うことで、倒伏が抑制されて、毛髪のボリューム感に優れるかつらが得られる。
【００２５】
しかも、網目形成糸によって多数の網目を形成していることに加えて、網目内に網目形成糸と異なる方向に補強糸が配置されているので、かつらベースに負荷される力を多くの方向に分散でき、かつらベースの切れを防止して耐久性と形状安定性とに優れるかつらを得ることができる。特にかつら装着者の頭部自毛とかつらを編込んで一定期間着けっぱなしする用途に好適に使用できる。
【００２６】
本発明のかつらは、このかつらベースに毛髪を取り付けたものであるので、毛髪のボリューム感と耐久性と形状安定性とに優れている。しかも、多数の毛髪の倒伏が抑制されることで、かつらベースが露見しにくい。さらに補強糸に毛髪を取り付けられるため、ヘアスタイルに応じた必要な毛髪量を得ることができる。
本発明のかつらの製造方法によれば、網目形成糸により形成された網目内に、該網目形成糸とは異なる方向性を有する補強糸が配置されたネットを備えたかつらベースを予め準備し、網目形成糸と補強糸とにそれぞれ毛髪を取り付けるので、上述のようなかつらを容易に製造することができる。
【図面の簡単な説明】
【００２７】
【図１】本発明に係る実施形態のかつらの概略斜視図である。
【図２】本発明に係る実施形態のかつらベースの概略を示す平面図であり、（Ａ）はかつらベースの全体の概要、（Ｂ）は一部の拡大図である。
【図３】本発明に係る実施形態におけるかつらベースの一部を表した模式図であり、（Ａ）は網目形成糸と補強糸の配置を、（Ｂ）は補強糸の配置を示す。
【図４】本発明に係る実施形態における網目の一辺の長さが６ｍｍの場合と３ｍｍの場合とを説明する平面図である。
【図５】本発明に係る実施形態における毛髪の流れの方向を示す平面図である。
【図６】本発明における実施形態のかつらベースの製造工程の一部を示す平面図である。
【図７】実施例１における網目形成糸と補強糸との構成角度を示す平面図である。
【図８】（Ａ）（Ｂ）は実施例１における網目形成糸及び補強糸の形態並びに毛髪を取り付けた状態を示す平面図である。
【図９】実施例２における網目形成糸及び補強糸に毛髪を取り付けた状態を示す平面図である。
【図１０】実施例３における網目形成糸及び補強糸に毛髪を取り付けた状態を示す平面図である。
【図１１】実施例４における網目形成糸及び補強糸に毛髪を取り付けた状態を示す平面図である。
【図１２】実施例５における網目形成糸及び補強糸に毛髪を取り付けた状態を示す平面図である。
【図１３】比較例１における網目形成糸及び毛髪を取り付けた状態を示す平面図である。
【図１４】（Ａ）（Ｂ）は実施例１の外観試験の結果を示す像の図であり、（Ａ）は平面方向、（Ｂ）は側面方向を示す。
【図１５】（Ａ）（Ｂ）は比較例１の外観試験の結果を示す像の図であり、（Ａ）は平面方向、（Ｂ）は側面方向を示す。
【図１６】網目形成糸又は補強糸を構成するフィラメントの方向性を説明する図であり、（Ａ）が１本の場合、（Ｂ）が異なる方向性で２本配置された場合、（Ｃ）が同一の方向性で２本配置された場合を示す平面図である。
【図１７】自毛の状態（Ａ）と人工毛髪の取り付け状態（Ｂ）との違いを説明する断面模式図である。
【図１８】従来のかつらを説明する平面図であり、（Ａ）はかつらベースを構成するネットのフィラメントに対して、略直角方向に毛髪を結びつける取付方法を示し、（Ｂ）は所定の角度をつけて毛髪を結びつける取付方法を示す。
【発明を実施するための形態】
【００２８】
以下、図を用いて本発明の実施形態について詳細に説明する。
まず、各実施形態の説明に先立ち、かつらベースのネットにおけるフィラメントの方向性と、かつらにおける毛髪の指向性とについて説明する。
かつらベースを構成するネットのフィラメントの方向性とは、例えばフィラメントを直線とみなした場合や直線とみなせる範囲とした場合のフィラメントの向きに相当し、毛髪の取付方法などに左右されるものではない。例えば図１６（Ａ）に示すように、フィラメント２５が１本の場合には方向性は一方向であり、図１６（Ｂ）に示すように、横方向のフィラメント２５Ｘと縦方向のフィラメント２５Ｙとが配置されている場合には方向性は二方向である。また、図１６（Ｃ）に示すように、横方向のフィラメント２５Ｘと横方向のフィラメント２５Ｘとが平行に配置されている場合には、方向性は一方向である。図１８（Ａ）及び（Ｂ）に示すかつらベース６１のように、網目が矩形状に構成されたネットのフィラメント２５では、横方向のフィラメント２５Ｘと縦方向のフィラメント２５Ｙとで二方向の方向性を有している。
【００２９】
毛髪の指向性は、かつらベースを構成するネットのフィラメント２５に毛髪３０を取り付けた状態で、毛髪３０の根元付近から先端側へ向かう向きであり、例えばフィラメント２５に毛髪３０を取り付ける際、図１８（Ａ）のようにフィラメント２５から矢印Ａの方向に毛髪３０を引っ張ると、矢印Ａの方向に毛髪３０の毛先（先端）９が向くが、この毛先の向く方向を指向性と呼ぶ。
【００３０】
図１〜図６は、実施形態を示す図である。
本発明の実施形態のかつら１０は、図１に示すように、例えば頭部形状に応じた湾曲形状を呈するかつらベース２０と、かつらベース２０に植設された多数の毛髪３０とを備える。なお図１はかつらの構成の概略を示すもので、理解容易のためにかつらベース２０の詳細な構成や多数の毛髪３０を簡略している。
かつらベース２０は、例えば頭部形状に応じた湾曲形状を呈し、ネットのみを用いたものであっても、ネットに樹脂製の人工皮膚や布地等の他の材料が一体化された複合体であってもよい。
【００３１】
［かつらベース］
図２及び図３に示すように、ネットを用いたかつらベース２０は、二方向以上の方向性を有して所定形状の網目２２を多数配列して形成するように間隔を開けて配置された多数の網目形成糸２３と、網目形成糸２３と異なる方向性を有して配置された多数の補強糸２４とを備えたものであり、例えば経編機等で網目形成糸２３と補強糸２４とを一体に編成したものを用いることができる。
各網目形成糸２３及び各補強糸２４は、それぞれモノフィラメント糸又はマルチフィラメント糸により形成されている。網目形成糸２３と補強糸２４とは同じ繊度、断面形状、同じ素材であっても、いずれか一つ以上が異なってもよい。素材は特に限定されないが、吸水性がなく形状安定性に優れたポリエステルは好適である。
【００３２】
かつらベース２０の網目形成糸２３は、モノフィラメント糸又はマルチフィラメント糸を直線状又は屈曲させて配置したもので、網目形成糸２３同士を所定間隔で互いに交差させたり絡めたりすることで、一体に編成された多数の交点２６が形成されている。本実施形態では、網目形成糸２３を各交点２６において交差させることで、平面的にとじられた空間が形成されており、この空間を網目２２と称している。網目形成糸２３の網目の形状は、特に限定されるものではなく、三角形、矩形等の多角形を採用できる。
【００３３】
網目形成糸２３により形成される網目の大きさは、特に限定されるものではないが、網目２２の一辺あたりの長さは２．０ｍｍ以上６．０ｍｍ以下の範囲が好ましい。この範囲であれば、所望の毛髪量及びヘアスタイルが作り易く、さらに毛髪３０の結び目が所定の箇所に集中することを抑制し易く、結び目が黒い斑点のように見え難くて外観が自然になる。
【００３４】
網目２２の一辺あたりの長さが２．０ｍｍ未満の場合、網目２２内に配置される補強糸２４との間の間隙が狭くなり過ぎて、複数の毛髪３０が過剰に狭い間隔で近接して取り付けられることになり、互いに交差して支え合う効果が低減する。そうすると多数の毛髪３０が集中して束になり易く、毛髪３０が倒伏して、ボリューム感のあるヘアスタイルの維持が困難になることがある。しかも、毛髪３０が倒伏することで、多数の毛髪３０の取り付け部分が黒い斑点のように見えて、不自然な外観になることもある。
【００３５】
一方、網目２２の一辺あたりの長さが６．０ｍｍを超える場合には、かつらベース２０全体において網目形成糸２３の絶対数が少なくなることで、植設可能な毛髪量の範囲が少なくなるとともに、各網目形成糸２３に取り付けられる各毛髪３０同士の間隙が大きくなってしまう。そのため網目形成糸２３に取り付けられる毛髪３０同士や、網目形成糸２３に取り付けられる毛髪３０と後述する補強糸２４に取り付けられる毛髪３０とが、それぞれの根元付近で交差しにくくなり、毛髪３０同士が互いに支えあう効果が低減し、多数の毛髪３０が倒伏し易くなる。
【００３６】
具体例として、図４に網目形成糸２３で形成される網目の一辺あたりの長さが６．０ｍｍの網目２２一個分を実線で示し、網目形成糸２３の網目の一辺あたりの長さが３．０ｍｍを破線で示す。図４からも明らかなように、一辺の長さが３．０ｍｍの場合に４つの網目を形成できるのに比べ、６．０ｍｍの場合には１つの網目しか形成できず、網目形成糸２３に取り付けられる毛髪３０同士の間隙は格段に大きくなる。
【００３７】
この実施形態では、図３（Ａ）に示すように、互いに隣接する網目形成糸２３は、平行に配置された補強糸２４に交互に一定の振幅で折り返して絡めることでジグザグに配置されている。網目形成糸２３同士の折り返し部分２３ａで絡めることで、一体に編成された多数の交点２６が形成され、平面的に閉じられた矩形の網目２２が形成されている。
【００３８】
一方、かつらベース２０の補強糸２４は、網目形成糸２３により形成された各網目２２内を横断するように網目形成糸２３と異なる方向性で配置されていることが必要である。このように補強糸２４が各網目２２内に配置されることで、網目形成糸２３の強度を向上でき、かつらベース２０の製造時や使用時の引っ張り荷重が負荷された際の切れや変形を防止できる。
【００３９】
各網目２２内に配置される補強糸２４の数は１本でも、複数本としてもよく、例えば補強糸２４を複数本配置することで、多種のヘアスタイルに必要な毛髪量を得易く、また、配置本数に応じて引張強度を向上することができる。
【００４０】
さらに、同じ方向性を持つ複数の補強糸２４が二方向以上に配置されることで、網目形成糸２３により形成された網目２２内に、網目２２より小さくて平面的に閉じられた面状閉空間（以下、第２の網目と称す）２８を複数有する補強支持網２９が構成されて、より強度を向上させることができる。
【００４１】
補強支持網２９を構成する場合、第２の網目２８の形状は特に限定されるものではなく、三角形、矩形等の多角形を採用できる。
補強糸２４により第２の網目２８を形成する場合、第２の網目２８の一辺あたりの長さは０．５ｍｍ〜２．０ｍｍの範囲が好ましい。この範囲であれば、網目形成糸２３の各網目２２内に取り付ける毛髪３０の本数を調整し易く、ヘアスタイルに応じて所望の部位に所望の毛髪量を得易くできる。しかも毛髪量を増やしても、網目形成糸２３とは異なる場所に毛髪３０を取り付けるので、毛髪３０の結び目が所定の箇所に集中することを抑制でき、黒い斑点のように見えることがなく、自然な外観が得られる。
【００４２】
補強糸２４による第２の網目２８の一辺あたりの長さが０．５ｍｍ未満の場合には、取り付ける毛髪３０が束になり易くなるので、毛髪３０の自重によって毛髪３０が立ち上がらずに倒伏し、時間の経過によりボリューム感が失われ易くなる。また、各毛髪３０同士の結び目が近接して所定の箇所に集中し、黒い斑点のように見えてしまうことがあり、外観が不自然になりやすい。
一方、補強糸２４による第２の網目２８の一辺あたりの長さが２．０ｍｍを超える場合には、第２の網目２８の空隙が大きくなるので、取り付け可能な毛髪量が少なくなり、ヘアスタイルに応じた必要な毛髪量を得ることができないこともある。
【００４３】
このような網目形成糸２３及び補強糸２４により構成された本実施形態のかつらベース２０では、網目形成糸２３により形成される網目２２が矩形を呈しており、図２に示した通り網目形成糸２３の方向性はＦからＧにかけての方向と、ＥからＨにかけての方向との２つである。一方、網目形成糸２３により形成された網目２２内に配置された複数の補強糸２４は、網目形成糸２３とは異なる方向性を有し且つ矩形を呈しており、補強糸２４の方向性はＣからＤにかけての方向と、ＡからＢにかけての方向との２つである。従って、本実施形態のかつらベース２０における各部のネットの方向性は、合計４つである。
この網目形成糸２３及び補強糸２４の方向性は、後述するかつらベース２０に取り付ける毛髪３０の指向性の基礎となるものであり、本発明の課題を解決するためには３方向以上とすることが必要で、好ましくは４方向以上である。
【００４４】
［毛髪］
次いで、上述のようなかつらベース２０に植設される毛髪３０について説明する。
本発明で用いる毛髪３０は、天然毛髪、人工毛髪等の何れでもよい。網目形成糸２３に取り付けられる毛髪３０と補強糸２４に取り付けられる毛髪３０とは同一の毛髪３０を用いてもよく、異なる材質からなる毛髪３０を用いてもよい。ここでは網目形成糸２３に取り付けられる毛髪を基本毛髪３０ａと称し、補強糸２４に取り付けられる毛髪を支持毛髪３０ｂと称す。また、基本毛髪３０ａと支持毛髪３０ｂとは、材質だけでなく、長さ、カール径、色等を異ならせてもよい。
【００４５】
毛髪３０は、かつらベース２０を構成するそれぞれの網目形成糸２３又は補強糸２４に結着することで取り付けられている。網目形成糸２３又は補強糸２４に対する各毛髪３０を取り付ける部分３１は、網目形成糸２３又は補強糸２４の交点２６であってもよいが、毛髪３０を安定して取り付けられ、取り付け箇所が解け難くなることに加えて、取り付け時の作業性を向上し得るため、交点２６を除いた網目形成糸２３又は補強糸２４に毛髪３０を取り付けることが好適である。
【００４６】
基本毛髪３０ａ及び支持毛髪３０ｂの指向性は、特に限定されるものではなく、網目形成糸２３により形成される網目２２の少なくとも一辺と、補強糸２４の第２の網目２８の少なくとも一辺とに、公知の毛髪取付方法により付与される指向性であってもよい。また、基本毛髪３０ａの指向性は網目形成糸２３の方向性に対して略直交するのが好ましく、同様に補強糸２４に取り付けられた支持毛髪３０ｂの指向性も、補強糸２４の方向性に対して略直交するのが好ましい。このようにすれば高度な植設技術を要せず、作業効率が高い簡単な取付方法によって、網目形成糸２３や補強糸２４の方向性に応じた各毛髪３０の指向性を安定して確実に付与することができる。
【００４７】
本実施形態のかつら１０では、多数の毛髪３０が網目形成糸２３と補強糸２４とに取り付けられることで、それぞれ毛髪３０の指向性を異ならせることができ、多数の毛髪３０が根元付近で自然に交差する状態となる。
これらの多数の毛髪３０は、さらにかつらベース２０に取り付けられた後にスタイルセットされることで、所定の毛髪３０の流れが形成される。ここでは、図５に示すように、網目形成糸２３及び補強糸２４の方向性と、毛髪３０の指向性とに基づいて、前額部側Ａ、後頭部側Ｂ、左右の側頭部側Ｃ及びＤ、左側方前額部側Ｅ、右側方前額部側Ｆ、左側方後頭部側Ｇ、並びに右側方後頭部側Ｈの８つの向きで、図中に矢印で示すようにそれぞれ頭部の湾曲状態に応じた方向で毛流が形成されている。これにより多種多様なヘアスタイルに対応することが可能となる。なお、左側方前額部側Ｅの向きの毛流とは頭頂部側から左前額髪際隅部付近に向かう毛流であり、右側方前額部側Ｆの向きの毛流とは頭頂部側から右前額髪際隅部付近に向かう毛流である。さらに左側方後頭部側Ｇとは右前額髪際隅部に対して頭頂部を挟んで反対位置のことであり、右側方後頭部側Ｈとは左前額髪際隅部に対して頭頂部を挟んで反対位置のことである。
【００４８】
［かつらの製造方法］
次に、かつら１０の製造方法について説明する。
かつら１０を製造する方法は、本発明に適したネット２７を用いてかつらベース２０を準備する準備工程と、かつらベース２０の網目形成糸２３に対して基本毛髪３０ａを取り付ける基本毛髪取付工程と、かつらベース２０の補強糸２４に対して支持毛髪３０ｂを取り付ける支持毛髪取付工程とを備える。
【００４９】
準備工程では、まず、上述のかつらベース２０を形成するための平坦なネット２７を準備する。次いで平坦なネット２７をかつら装着者の頭部形状に成形する。
例えば図６に示すように、かつら装着者の頭部形状に模して作製した雄型の石膏型４１に、図３に示されるように編成したネット２７を張り付けて固定する。ネット２７に熱硬化性ウレタン樹脂溶液を塗布した後に、加熱処理によりネット２７を頭部形状に成形する。
【００５０】
その後、ネット２７を石膏型４１から取り外し、成形されたネット２７の外周に、かつら外縁部露見防止用の帯状部材４２を取り付ける。この外縁部露見防止用の帯状部材４２を半折りにし、成形されたネット２７の表面側、即ち、植設した毛髪が延出する側の外周端部の所定の位置に仮止めした後、縫製によりネット２７と一体化する。これによりネットを用いたかつらベース２０を作製する。
【００５１】
基本毛髪の取付工程では、かつらベース２０の網目形成糸２３に基本毛髪３０ａを取り付ける。
かつらベース２０に基本毛髪３０ａを取り付けるには、まず頭部形状の雄型に一致する位置にかつらベース２０を合わせて固定する。そして、基本毛髪３０ａの中央部を二つ折りにした折れ部をかつらベース２０に結びつけることで取り付ける。具体的には、網目形成糸２３により形成された網目に対し、表面から鉤針を挿入して網目形成糸２３をすくい上げた後、鉤針の鉤部に基本毛髪３０ａを引っ掛けて結ぶが、その際、基本毛髪３０ａを、かつらベース２０の網目形成糸２３に対して略直角の向きに引っ張って結着する。取付方法としては、公知のひばり結びもしくは巻き結びなどを用いてもよい。
【００５２】
支持毛髪３０ｂの取付工程では、網目形成糸２３により形成された網目２２内の補強糸２４に支持毛髪３０ｂを取り付ける。かつらベース２０に支持毛髪３０ｂを取り付けるには、基本毛髪３０ａを網目形成糸２３に取り付ける方法と同様に鉤針を用いて行うことができる。
【００５３】
そして、このような基本毛材の取付工程及び支持毛材の取付工程を完了することで、かつらベース２０の全ての領域に多数の毛髪３０を取り付け、かつらを完成することができる。
このようにしてかつら１０を製造すれば、上述のようなかつら１０を容易且つ確実に製造することが可能である。
【００５４】
なお、基本毛髪３０ａの取付工程と支持毛髪３０ｂの取付工程との順序は特に限定されるものではなく、作業効率などの観点から、上記とは逆に、先に支持毛髪３０ｂの取付工程を行った後、基本毛髪３０ａの取付工程を行うことも可能であり、各取付工程を交互に行うことも可能である。
また、各毛髪取付工程では、網目形成糸２３又は補強糸２４に対して毛髪３０を引っ張る方向を全て同じ方向としなくてもよく、例えば各網目形成糸２３又は補強糸２４の方向性に対して略直交と、略反対となる二方向としてもよい。
【００５５】
このような実施形態のかつら１０に対し、仮に２枚以上の異なる形状のネットを重ねて縫製による一体化で製造したかつらベースを用いたりすると、ネットを重ねることでかつらベースが厚くなり、装着感の低下のような問題が生じることに加え、かつらの使用中にブラッシング等で重ねたかつらベース同士の縫合部分がほつれて、上部に位置するかつらベースが浮いてしまうなど、かつらベースに歪みが生じて、取り付けた毛髪３０が意図しない方向に向き、外観が不自然になることがある。
しかし、本実施形態のかつら１０では、所定形状の網目２２を多数形成する網目形成糸２３と、網目形成糸２３と方向性の異なる補強糸２４とが例えば一体に編成されたかつらベース２０を用いるため、このようなことを容易且つ確実に防止できる。
【００５６】
上記実施形態は本発明の範囲内において適宜変更可能である。例えば上記では、網目形成糸２３により形成される各網目２２内に補強糸２４を配置した例について説明したが、特に限定される必要はなく、かつらベース２０の一部の網目２２内に補強糸２４が配置された構成であってもよい。
【実施例】
【００５７】
以下、実施例について説明する。
異なる構成で予め形成されたネット２７を用いる他は全て同様にして、実施例１〜５及び比較例１，２のかつらを製造し、得られたかつら１０におけるかつらベース２０の引張切断荷重を測定した。
【００５８】
［かつらベースの製造］
図６に示すように、複数のフィラメントからなる各実施例のネットを雄型の石膏型４１に貼り付け、熱硬化性ウレタン樹脂溶液を塗布し、加熱温度１００℃で８時間乾燥させて成形を行ない、ネットを用いたかつらベース２０を作製した。使用した熱硬化性ウレタン樹脂溶液は、日新レジン株式会社製のＥ−６４Ａ（Ｎｏ．１．２．３）６．５ｇ、Ｅ−６・Ｓ（Ｎｏ．１）３．５ｇ、メチルエチルケトンを所定量混合して使用した。ここではメチルエチルケトンの配合量を調整することにより、成形後のネット２７の硬さを適度なものに調整した。
その後、成形されたネット２７の外周にかつら外縁部露見防止用のメッシュ状である帯状部材４２を取り付けた。帯状部材４２は１４ｍｍの幅で長さ７０ｃｍ以上に切断し、ネット２７の外周端部にある不要部分を切除した後、外縁部露見防止用の帯状部材４２を半折にし、植設する毛髪３０が延出する側であるネット２７の表面側の外周端部の所定位置に取り付けて縫製した。
【００５９】
［引張切断荷重の測定方法］
試験片の寸法を６ｍｍ×１５０ｍｍに切断採取し、１ｇの初荷重を加えたこと以外は、全てＪＩＳ  Ｋ６４０４−３  試験方法Ｂ（ストリップ法）に準拠した。
【００６０】
［実施例１］
実施例１のかつらベース２０は、８４ｄｔｅｘ／４８ｆのポリエステルからなるフィラメントを用いて編成した図７及び図８（Ｂ）に示すような平坦なネット２７を用いた。網目２２は一辺あたりの長さが４．０ｍｍの矩形状であった。さらに、４本の横糸と３本の縦糸からなる補強糸２４を網目２２内に一辺あたりの長さが１ｍｍの矩形状になるように第２の網目２８を構成した。図７に示すように、網目形成糸２３と補強糸２４とは４５度で交差していた。また、網目形成糸２３により形成された網目２２の中心線上の１つの交点２６aが前額部側Ａに向いて左右対称となるように、かつらベース２０を位置させた。
【００６１】
図８（Ａ）及び（Ｂ）に示すように、網目形成糸２３のａ辺及びｃ辺には、左側方前額部側Ｅの指向性を有するように複数本の毛髪３０ａを取り付け、ｂ辺及びｄ辺には、右側方前額部側Ｆの指向性を有するように複数本の毛髪３０ａを取り付けた。また、補強糸２４には、横糸に後頭部側Ｂの向きに指向性を有するように複数本の毛髪３０ｂを取り付けた。
得られたかつら１０の引張切断荷重は、かつらベース２０の前額部側Ａ及び後頭部側Ｂの向き（縦方向）が１２．２６Ｎ／ｍｍであり、左右側頭部側Ｃ、Ｄの向き（横方向）が５．８７Ｎ／ｍｍであった。
【００６２】
［実施例２］
実施例２のかつらベース２０は、実施例１と同様のフィラメントを用いて編成したネット２７を用いた。網目２２は実施例１と同一の矩形状で、網目２２の一辺あたりの長さが４．０ｍｍで構成した。
図９に示すように、１本の縦糸で補強糸２４を構成した。網目形成糸２３により形成された網目２２の中心線上の１つの交点２６ａが前額部側Ａに向いて左右対称となるように、かつらベース２０を位置させた。
網目形成糸２３には、左側方前額部側Ｅ及び右側方前額部側Ｆの指向性を有するように複数本の毛髪３０ａを取り付けた。補強糸２４には、縦糸に左右側頭部側C、Dの向きに指向性を有するように複数本の毛髪３０ｂを取り付けた。
得られたかつら１０の引張切断荷重は、かつらベース２０の前額部側Ａ及び後頭部側Ｂの向き（縦方向）が７．１０Ｎ／ｍｍであり、左右側頭部側Ｃ、Ｄの向き（横方向）が３．０１Ｎ／ｍｍであった。
【００６３】
［実施例３］
実施例３のかつらベース２０は、実施例１と同様のフィラメントを用いて編成したネット２７を用いた。網目２２は実施例１と同一の矩形状で、網目２２の一辺あたりの長さが４．０ｍｍで構成した。
図１０に示すように、１本の横糸と１本の縦糸とで補強糸２４を構成した。網目形成糸２３により形成された網目２２の中心線上の１つの交点２６ａが前額部側Ａに向いて左右対称となるように、かつらベース２０を位置させた。
網目形成糸２３には、左側方前額部側Ｅ及び右側方前額部側Ｆの指向性を有するように複数本の毛髪３０ａを取り付けた。補強糸２４には、横糸に前額部側Ａの向きに指向性を有するように複数本の毛髪３０ｂを取り付け、縦糸に左右側頭部側Ｃ、Ｄの向きに指向性を有するように複数本の毛髪３０ｂを取り付けた。
得られたかつら１０の引張切断荷重は、かつらベース２０の前額部側Ａ及び後頭部側Ｂの向き（縦方向）が８．６４Ｎ／ｍｍであり、左右側頭部側Ｃ、Ｄの向き（横方向）が４．０８Ｎ／ｍｍであった。
【００６４】
［実施例４］
実施例４のかつらベース２０は、実施例１と同様のフィラメントを用いて編成した。網目２２は六角形状で、網目２２の一辺あたりの長さが３．０ｍｍで構成した。
図１１に示すように３本の補強糸２４を配置した。網目形成糸２３により形成された網目２２の中心線上の１つの交点２６ａが前額部側Ａに向いて左右対称となるように、かつらベース２０を位置させた。
網目形成糸２３には、左側方前額部側Ｅ及び右側方前額部側Ｆの指向性を有するように複数本の毛髪３０ａを取り付けた。補強糸２４には、前額部側Ａ、右側方前額部側Ｆ及び右側方後頭部側Ｈの向きに指向性を有するように複数本の毛髪３０ｂを取り付けた。
得られたかつら１０の引張切断荷重は、かつらベース２０の前額部側Ａ及び後頭部側Ｂの向き（縦方向）が１１．０９Ｎ／ｍｍであり、左右側頭部側Ｃ、Ｄの向き（横方向）が５．４７Ｎ／ｍｍであった。
【００６５】
［実施例５］
実施例５のかつらベース２０は、実施例１と同様のフィラメントを用いて編成したネット２７を用いた。網目２２は三角形状で、網目２２の一辺あたりの長さが５．０ｍｍで構成した。図１２に示すように３本の補強糸２４を配置した。網目形成糸２３により形成された網目２２の中心線上の１つの交点２６ａが前額部側Ａに向いて左右対称となるように、かつらベース２０を位置させた。
網目形成糸２３には、前額部側Ａ、左側方後頭部側Ｇ及び右側方後頭部側Ｈの指向性を有するように複数本の毛髪３０ａを取り付けた。補強糸２４には、右側頭部側Ｄ、左側方前額部側Ｅ及び右側方前額部側Ｆの向きに指向性を有するように複数本の毛髪３０ｂを取り付けた。
得られたかつら１０の引張切断荷重は、かつらベース２０の前額部側Ａ及び後頭部側Ｂの向き（縦方向）が１０．３２Ｎ／ｍｍであり、左右側頭部側Ｃ、Ｄの向き（横方向）が５．３３Ｎ／ｍｍであった。
【００６６】
［比較例１］
比較例１のかつらベース６１は、実施例１と同様のフィラメントを用いて編成したネットを用いた。網目２２は実施例１と同一の矩形状で、網目２２の一辺あたりの長さが４．０ｍｍで構成した。
図１３に示すように、網目２２内に補強糸２４を編成しなかった。網目形成糸２３により形成された網目２２の中心線上の１つの交点２６ａが前額部側Ａに向いて左右対称となるように、かつらベース６１を位置させた。
網目形成糸２３には、左側方前額部側Ｅ及び右側方前額部側Ｆの指向性を有するように複数本の毛髪３０を取り付けた。
得られたかつら１０の引張切断荷重は、かつらベース６１の前額部側Ａ及び後頭部側Ｂの向き（縦方向）が１．８７Ｎ／ｍｍであり、左右側頭部側Ｃ、Ｄの向き（横方向）が１．１３Ｎ／ｍｍであった。
【００６７】
［比較例２］
比較例２のかつらベース６１は、８４ｄｔｅｘ／７７ｆのポリエステルからなるフィラメントを用いて平織りで構成したネットを用いた。比較例１とほぼ同一の矩形状の網目で、網目２２の一辺あたりの長さが４．０ｍｍで構成した。網目形成糸２３により形成された網目２２の中心線上の１つの交点２６ａが前額部側Ａに向いて左右対称となるように、かつらベース６１を位置させた。毛髪３０の取り付けは、比較例１と同様に行なった。
得られたかつら１０の引張切断荷重は、かつらベース６１の前額部側Ａ及び後頭部側Ｂの向き（縦方向）が７．９４Ｎ／ｍｍであり、左右側頭部側Ｃ、Ｄの向き（横方向）が５．１３Ｎ／ｍｍであった。
【００６８】
以上のようにして製造された実施例及び比較例の各かつら１０を使用者に装着し、外観試験を行った。
その結果、実施例１〜５のかつら１０では、かつら１０に取り付けた毛髪３０が立ち上がり、毛髪３０の倒伏が抑制されており、時間が経過してもボリューム感が保持されるので、自然な外観であった。毛髪３０が倒伏しにくくなっていることから、毛髪３０の根元付近のかつらベース２０が露見することはなく、極めて自然な外観が維持された。
【００６９】
しかも、引張切断荷重の測定からも明らかな通り、網目形成糸２３と補強糸２４とが異なる向きに配置されて連結されているので、かつらベース２０にかかる力を分散できて、引張強度が向上した。そのためかつらベース２０が切れにくくなり、優れたかつら１０の形状安定性を得ることができた。
かつらの製造時には、異なる方向に配置された網目形成糸２３と補強糸２４とに対して同じ角度で毛髪３０を取り付けたので、取り付け時に毛髪３０の角度や位置を規則的に制御する必要がなく、作業効率が格段に高まり、かつら１０の品質も向上した。
【００７０】
一方、比較例１、２では、補強糸が編成されておらず、かつらベース６１にかかる力が一方向に集まりやすくなるので、引張強度が低くなり、かつら１０に歪みが生じやすくなっていた。
さらに比較例２は平織物であり、糸の交点の自由度が低いため、装着感が低下した。
【００７１】
次に、実施例１と比較例２のかつらベース２０，６１を縦横３ｃｍに切断したものに、同じ毛髪３０を、同じ毛髪量で取り付けたサンプルを作成して外観試験を行った。
【００７２】
実施例１のサンプルの外観を図１４（Ａ）（Ｂ）の像に示すと共に、比較例２サンプルの外観を図１５（Ａ）（Ｂ）の像に示す。
さらに、１０名のパネラーによりボリューム感を目視で評価する目視試験を行った。
結果を表１に示す。
【００７３】
【表１】
0005518572.tif 000002
これらの結果から明らかな通り、実施例サンプルでは、毛髪３０がふんわりと立ち上がり、優れたボリューム感が得られた。
一方、比較例サンプルでは、毛髪３０が束状になり易くて倒伏してしまい、ボリューム感が劣る不自然な外観となった。
【符号の説明】
【００７４】
１０  かつら
２０  かつらベース
２２  網目
２３  網目形成糸
２４  補強糸
２５  フィラメント
２５Ｘ  横糸
２５Ｙ  縦糸
２６  交点
２７  ネット
２８  第２の網目
３０  毛髪
３０ａ  基本毛髪
３０ｂ  支持毛髪
３１  取り付け部
４１  石膏型
４２  帯状部材
【図１】
0005518572.tif 000003
【図２】
0005518572.tif 000004
【図３】
0005518572.tif 000005
【図４】
0005518572.tif 000006
【図５】
0005518572.tif 000007
【図６】
0005518572.tif 000008
【図７】
0005518572.tif 000009
【図８】
0005518572.tif 000010
【図９】
0005518572.tif 000011
【図１０】
0005518572.tif 000012
【図１１】
0005518572.tif 000013
【図１２】
0005518572.tif 000014
【図１３】
0005518572.tif 000015
【図１６】
0005518572.tif 000016
【図１７】
0005518572.tif 000017
【図１８】
0005518572.tif 000018
【図１４】
0005518572.tif 000019
【図１５】
0005518572.tif 000020